【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
冷媒の気液を分離して分離された液相冷媒を貯える貯液部（２４）と、
前記貯液部にて分離された気相冷媒を圧縮して吐出する圧縮機（１１）と、を備える冷凍サイクル装置であって、
サイクル内から前記冷媒を回収する前に、前記貯液部内の前記冷媒の温度を上昇させる冷媒回収準備制御を実行する冷凍サイクル装置。
【請求項２】
冷媒の気液を分離して分離された液相冷媒を貯える貯液部（２４）と、
前記貯液部にて分離された気相冷媒を圧縮して吐出する圧縮機（１１）と、
前記圧縮機から吐出された高圧冷媒と温度調整対象流体とを熱交換させる加熱部（１２）と、
前記加熱部から流出した前記高圧冷媒を減圧させる減圧部（１４ａ）と、
前記減圧部（１４ａ）にて減圧された低圧冷媒と外気とを熱交換させる室外熱交換器（２０）と、
サイクルの冷媒回路を切り替える冷媒回路切替部（１５ａ〜１５ｄ）と、を備える冷凍サイクル装置であって、
サイクル内から前記冷媒を回収するために前記貯液部内の冷媒の温度を上昇させる冷媒回収準備制御、および前記温度調整対象流体を加熱する運転モードを実行可能に構成されており、
前記冷媒回路切替部は、前記冷媒回収準備制御の実行時および前記運転モード時に、前記圧縮機の吐出口→前記加熱部→前記減圧部→前記室外熱交換器→前記貯液部→前記圧縮機の吸入口の順に前記冷媒を循環させる冷媒回路に切り替えるものである冷凍サイクル装置。
【請求項３】
冷媒の気液を分離して分離された液相冷媒を貯える貯液部（２４）と、
前記貯液部にて分離された気相冷媒を圧縮して吐出する圧縮機（１１）と、
前記圧縮機にて昇圧された高圧冷媒を減圧させる減圧部（１４ａ）と、
前記減圧部の作動を制御する絞り開度制御部（６０ｂ）と、
サイクルの冷媒回路を切り替える冷媒回路切替部（１５ａ〜１５ｄ）と、を備える冷凍サイクル装置であって、
サイクル内から前記冷媒を回収するために前記貯液部内の前記冷媒の温度を上昇させる冷媒回収準備制御を実行し、
前記冷媒回路切替部は、前記冷媒回収準備制御の実行時に、前記圧縮機→前記減圧部→前記貯液部→前記圧縮機の順に前記冷媒を循環させる冷媒回路に切り替えるものであり、
前記絞り開度制御部は、前記冷媒回収準備制御の実行時に、外気温（Ｔａｍ）の低下に伴って、前記減圧部の絞り開度を減少させるものである冷凍サイクル装置。
【請求項４】
前記冷媒回収準備制御は、前記貯液部へ流入する冷媒の温度（Ｔ２）が予め定めた基準温度（ＫＴ）以上となっている温度上昇状態の経過時間（Ｔｉｍ）が、予め定めた基準経過時間（ＫＴｉｍ）以上となるまで実行される請求項１ないし３のいずれか１つに記載の冷凍サイクル装置。
【請求項５】
冷媒の気液を分離して分離された液相冷媒を貯える貯液部（２４）と、
前記貯液部にて分離された気相冷媒を圧縮して吐出する圧縮機（１１）と、を備える冷凍サイクル装置であって、
サイクル内から前記冷媒を回収するために前記貯液部内の冷媒の温度を上昇させる冷媒回収準備制御を実行し、
前記冷媒回収準備制御は、前記貯液部へ流入する冷媒の温度（Ｔ２）が予め定めた基準温度（ＫＴ）以上となっている温度上昇状態の経過時間（Ｔｉｍ）が、予め定めた基準経過時間（ＫＴｉｍ）以上となるまで実行される冷凍サイクル装置。
【請求項６】
前記基準温度（ＫＴ）は、外気温の上昇に伴って、高くなるように決定されている請求項４または５に記載の冷凍サイクル装置。
【請求項７】
さらに、前記圧縮機の作動を制御する吐出能力制御部（６０ａ）を備え、
前記吐出能力制御部は、前記冷媒回収準備制御では、前記圧縮機から吐出された高圧冷媒の温度（Ｔ１）が前記基準温度（ＫＴ）よりも高くなるように前記圧縮機の作動を制御するものである請求項４ないし６のいずれか１つに記載の冷凍サイクル装置。
【請求項８】
さらに、ユーザの操作によって前記冷媒回収準備制御の実行を要求する要求部（７１）を備える請求項１ないし７のいずれか１つに記載の冷凍サイクル装置。
【手続補正２】
【補正対象書類名】明細書
【補正対象項目名】０００８
【補正方法】変更
【補正の内容】
【０００８】
上記目的を達成するため、請求項１に記載の発明は、冷媒の気液を分離して分離された液相冷媒を貯える貯液部（２４）と、貯液部にて分離された気相冷媒を圧縮して吐出する圧縮機（１１）と、を備える冷凍サイクル装置であって、
サイクル内から冷媒を回収する前に、貯液部内の冷媒の温度を上昇させる冷媒回収準備制御を実行する冷凍サイクル装置である。
【手続補正３】
【補正対象書類名】明細書
【補正対象項目名】０００９
【補正方法】変更
【補正の内容】
【０００９】
これによれば、冷媒回収準備制御を実行可能に構成されているので、冷媒を回収する際に貯液部（２４）内の液相冷媒を加熱して気化させることができる。従って、回収作業時に外部から貯液部（２４）を加熱する必要が無い。すなわち、作業性の悪化を招くことなく速やかに冷媒の回収を完了可能な貯液部（２４）を備える冷凍サイクル装置を提供することができる。
また、請求項２に記載の発明は、冷媒の気液を分離して分離された液相冷媒を貯える貯液部（２４）と、貯液部にて分離された気相冷媒を圧縮して吐出する圧縮機（１１）と、圧縮機から吐出された高圧冷媒と温度調整対象流体とを熱交換させる加熱部（１２）と、加熱部から流出した高圧冷媒を減圧させる減圧部（１４ａ）と、減圧部（１４ａ）にて減圧された低圧冷媒と外気とを熱交換させる室外熱交換器（２０）と、サイクルの冷媒回路を切り替える冷媒回路切替部（１５ａ〜１５ｄ）と、を備える冷凍サイクル装置であって、
サイクル内から冷媒を回収するために貯液部内の冷媒の温度を上昇させる冷媒回収準備制御、および温度調整対象流体を加熱する運転モードを実行可能に構成されており、
冷媒回路切替部は、冷媒回収準備制御の実行時および運転モード時に、圧縮機の吐出口→加熱部→減圧部→室外熱交換器→貯液部→圧縮機の吸入口の順に冷媒を循環させる冷媒回路に切り替える冷凍サイクル装置である。
これによれば、請求項１に記載の発明と同様の効果を得ることができる。
また、請求項３に記載の発明は、冷媒の気液を分離して分離された液相冷媒を貯える貯液部（２４）と、貯液部にて分離された気相冷媒を圧縮して吐出する圧縮機（１１）と、圧縮機にて昇圧された高圧冷媒を減圧させる減圧部（１４ａ）と、減圧部の作動を制御する絞り開度制御部（６０ｂ）と、サイクルの冷媒回路を切り替える冷媒回路切替部（１５ａ〜１５ｄ）と、を備える冷凍サイクル装置であって、
サイクル内から冷媒を回収するために貯液部内の冷媒の温度を上昇させる冷媒回収準備制御を実行し、
冷媒回路切替部は、冷媒回収準備制御の実行時に、圧縮機→減圧部→貯液部→圧縮機の順に冷媒を循環させる冷媒回路に切り替えるものであり、
絞り開度制御部は、冷媒回収準備制御の実行時に、外気温（Ｔａｍ）の低下に伴って、減圧部の絞り開度を減少させる冷凍サイクル装置である。
これによれば、請求項１に記載の発明と同様の効果を得ることができる。
また、請求項５に記載の発明は、冷媒の気液を分離して分離された液相冷媒を貯える貯液部（２４）と、貯液部にて分離された気相冷媒を圧縮して吐出する圧縮機（１１）と、を備える冷凍サイクル装置であって、
サイクル内から冷媒を回収するために貯液部内の冷媒の温度を上昇させる冷媒回収準備制御を実行し、
冷媒回収準備制御は、貯液部へ流入する冷媒の温度（Ｔ２）が予め定めた基準温度（ＫＴ）以上となっている温度上昇状態の経過時間（Ｔｉｍ）が、予め定めた基準経過時間（ＫＴｉｍ）以上となるまで実行される冷凍サイクル装置である。
これによれば、請求項１に記載の発明と同様の効果を得ることができる。
【手続補正４】
【補正対象書類名】明細書
【補正対象項目名】０１１０
【補正方法】変更
【補正の内容】
【０１１０】
これにより、暖房モードでは、図１の黒塗り矢印に示すように、圧縮機１１の吐出ポート１１ｃ→室内凝縮器１２→暖房用膨張弁１４ａ→気液分離器１６の気相冷媒出口→圧縮機１１の中間圧ポート１１ｂの順に冷媒が循環するとともに、気液分離器１６の液相冷媒出口→固定絞り１７→室外熱交換器２０→アキュムレータ２４→圧縮機１１の吸入ポート１１ａの順に冷媒が循環する、いわゆるガスインジェクションサイクルが構成される。